(57)【要約】【課題】  ダンプトラック等における既存の後アオリのキャッチロック開閉機構自体を変更することなく、そのままの構造として、これに付加する形態で後アオリの開閉に係るキャッチロック操作を自動的に行い得るようにする。【解決手段】  キャッチ４の開閉に係る作動シャフト１の前端部分に軸支されて、該作動シャフト１を移動させる手動レバー２と、前記作動シャフト２の後端部分に取り付けられ、荷台Ｃの後端壁ＢＷに形成された透孔３から突出自在なキャッチ４と、キャッチ４が掛止自在な後アオリＢＧのロック軸５とを備えたダンプトラック等における後アオリのキャッチロック開閉装置において、前記作動シャフト１の前方にシリンダー６を設け、該シリンダー６のピストンロッド７先端を前記手動レバー２等に連結することによって、前記手動レバー２自体の人力による操作だけでなく、前記シリンダー６の作動によっても操作可能とする。【選択図】  図５
2019043392.tif 000002
【特許請求の範囲】
【請求項１】
荷台下側のフレームに沿って架設され、前後方向に移動自在な作動シャフトと、作動シャフトの前端部分に軸支されて、該作動シャフトを前後移動させる手動レバーと、リンク機構を介して前記作動シャフトの後端部分に取り付けられ、荷台の後端壁に形成された透孔から突出自在なキャッチと、後アオリの下縁に架設され、前記レバーの操作に伴って前記キャッチが掛止自在なロック軸とを備えたダンプトラック等における後アオリのキャッチロック開閉装置において、前記フレーム上の作動シャフトの前方にシリンダーを設け、該シリンダーのピストンロッド先端を前記手動レバーまたは前記作動シャフトの前端部分に連結することによって、前記手動レバー自体の人力による操作だけでなく、前記シリンダーの作動によっても前記キャッチがロック軸に掛止自在となされている、ダンプトラック等における後アオリのキャッチロック自動開閉装置。
【請求項２】
手動レバーの回動範囲内に設けられたリミットスイッチと、リミットスイッチのＯＮ／ＯＦＦによって、点灯／消灯するロック開閉表示ランプを備えた、請求項１記載のダンプトラック等における後アオリのキャッチロック自動開閉装置。
【発明の詳細な説明】
【技術分野】
【０００１】
本発明は、ダンプトラックや貨物車両等の後アオリの開閉に係るキャッチロック自動開閉装置に関する。
【背景技術】
【０００２】
従来、貨物車両の後アオリの開閉に関する装置としては、例えば床枠の一部に固着した支軸に伸縮機構を配設し、該伸縮機構に枢軸を中心として回転する回転リンクを連結し、該回転リンクの先に該伸縮機構と反対方向を向く作動リンクを連結し、該作動リンクの先に後アオリに略直角に直結した作動アームを設け、前記支軸に隣接させて固着したもう一つの支軸に前記作動アームの一部に連設した回動アームを連結し、前記作動アームの一部には誘導輪を軸着するとともに、側アオリの壁面側に固着させて該誘導輪を案内するレールを配設した回動リンク機構を備えた貨物車両の後アオリ開閉装置が知られている。
【０００３】
また、前記装置に類似するものとして、 床枠の一部に固着した支軸に伸縮機構を配設し、該伸縮機構に枢軸を中心として回転する回転リンクを連結し、該回転リンクの先に該伸縮機構と反対方向を向く作動リンクを連結し、該作動リンクの先に後アオリに略直角に直結した作動アーム連設し、前記支軸に隣接させて固着したもう一つの支軸に前記作動アームの一部に連結した回動アームを連設し、前記作動アームの一部には、誘導輪を軸着すると共に、側アオリの壁面側に固着させて前記誘導輪を案内するレールを配設した回動リンク機構と、前記回転リンクの一部に作動リンクを連結し、該作動リンクの先に枢軸に取り付けた回動リンクを連結し、該回動リンクの先には前記回動アームにつながる連結リンクを配設した引上リンク機構を備えた貨物車両の後アオリ開閉装置も知られている。
【０００４】
この他、後アオリの左右両側に、前後方向に回動可能に取り付けられたアームと、アームの前端部に軸支されたスライダと、スライダを前後方向にガイドするガイドレールと、スライダの係合部を後アオリの閉じ位置で係止する開き防止用フックと、開き防止用フックの開放を阻止するストッパと、開放操作によりストッパの阻止を解除して開き防止用フックを開放する開放用フックと、左右の開放用フックの作動を同期させるケーブルとを備えた後アオリロック装置といったものも知られている。
【先行技術文献】
【特許文献】
【０００５】
【特許文献１】特開２０００−１３５９９１号公報
【特許文献２】特開２００４−２２４２２６号公報
【発明の概要】
【発明が解決しようとする課題】
【０００６】
前述したいずれの装置も後アオリ自体に直接的に設けて開閉を制御する構造であったため、既存の後アオリの開閉機構を大幅に改変ないし刷新する必要があり、そのため、ダンプトラック等のアオリに実際に組み込む場合、その設計、製作の作業に多大な手間とコストを要するという欠点があった。また、実際に後アオリの開閉に組み込んだ後において、装置の故障や不具合が発生した場合には、ダンプトラック等の使用そのものを一旦、中止して修理作業を行う必要があり、そのため、当該車両の運行に大きな支障をきたすおそれがあった。
【０００７】
本発明の目的は、ダンプトラック等における既存の後アオリの開閉機構自体を変更することなく、そのままの構造として、これに付加する形態で後アオリの開閉に係るキャッチロック操作を自動的に行う得る自動開閉装置を提供することにある。
【課題を解決するための手段】
【０００８】
請求項１記載の本発明は、荷台下側のフレームに沿って架設され、前後方向に移動自在な作動シャフトと、作動シャフトの前端部分に軸支されて、該作動シャフトを前後移動させる手動レバーと、リンク機構を介して前記作動シャフトの後端部分に取り付けられ、荷台の後端壁に形成された透孔から突出自在なキャッチと、後アオリの下縁に架設され、前記レバーの操作に伴って前記キャッチが掛止自在なロック軸とを備えたダンプトラック等における後アオリのキャッチロック開閉装置において、前記フレーム上の作動シャフトの前方にシリンダーを設け、該シリンダーのピストンロッド先端を前記手動レバーまたは前記作動シャフトの前端部分に連結することによって、前記手動レバー自体の人力による操作だけでなく、前記シリンダーの作動によっても前記キャッチがロック軸に掛止自在となされているダンプトラック等における後アオリのキャッチロック自動開閉装置である。
【０００９】
請求項２記載の本発明は、前記請求項１記載のキャッチロック自動開閉装置について、  手動レバーの回動範囲内に設けられたリミットスイッチと、リミットスイッチのＯＮ／ＯＦＦによって、点灯／消灯するロック開閉表示ランプを備えたものである。
【発明の効果】
【００１０】
本発明に係るダンプトラック等における後アオリのキャッチロック自動開閉装置は、要するに、ダンプトラック等の後アオリにおいて、既に設けられている手動レバーによるキャッチロックの開閉装置に、シリンダー等による新たなキャッチロック開閉機構を追加することによって、該キャッチロックを自動的に開閉し得るようにしたものである。そのため、従来の後アオリの開閉に係る装置のように、既存の構造を大幅に改変する必要がなく、また自動開閉装置が故障した場合でも既存の手動レバーによる操作がそのまま可能であるため、従来のように、後アオリの開閉機構の故障によって、当該ダンプトラック等が使用不全になるということがない。
【００１１】
更に、本発明に係るキャッチロックの自動開閉装置は、新車のダンプトラック等だけでなく、既に使用しているダンプトラック等にも容易に付設することができるという実用的利点を有する。
【００１２】
また、本発明に係るキャッチロックの自動開閉装置は、前述した通り、ダンプトラック等の荷台後部の構造を大幅に設計変更する必要もないため、従来のように、製作工程の複雑化や製造コストの大幅な上昇を招くという問題もない。
【図面の簡単な説明】
【００１３】
【図１】本発明の実施形態に係る装置が設けられたダンプトラックの側面図である。
【図２】同じくダンプトラックの背面図である。
【図３】同じくダンプトラックにおける後アオリの下部拡大図であって、キャッチがロック軸に掛止された閉状態を示す。
【図４】同じくダンプトラックにおける後アオリの下部拡大図であって、キャッチがロック軸から離れた開状態を示す。
【図５】実施形態に係るキャッチロックの自動開閉装置の斜視図であって、手動レバーが前方へ引き戻されたキャッチロックの閉状態を示す。
【図６】実施形態に係るキャッチロックの自動開閉装置の斜視図であって、手動レバーが後方へ回動されたキャッチロックの開状態を示す。
【図７】図７における作動シャフト、手動レバーおよびシリンダーの連動状態を示す要部拡大斜視図である。
【図８】作動シャフトと手動レバーの連結箇所におけるリミットスイッチの取付状態を示す拡大斜視図であって、リミットスイッチのフレキシブル・ロッドが直立している状態を示す。
【図９】作動シャフトと手動レバーの連結箇所におけるリミットスイッチの取付状態を示す拡大斜視図であって、リミットスイッチのフレキシブル・ロッドが手動レバーの当接によって傾斜した状態を示す。
【図１０】実施形態に係るキャッチロックの自動開閉装置における制御系を示す図である。
【発明を実施するための形態】
【００１４】
次に、本発明をダンプトラックにおける後アオリのキャッチロック開閉装置に適用した場合の実施形態について、図面にしたがって説明するが、本発明はかかる実施形態に限定されるものではない。
【００１５】
なお、本実施形態において、「前側」とはダンプトラックの前側方向、すなわち運転席方向を指し、「後側」とはダンプトラックの後側方向、すなわち、荷台後部方向を意味するものとする。
【００１６】
図１〜図４に示すように、本実施形態に係るキャッチロック自動開閉装置は、荷台Ｃ下側のフレームＦに沿ってブラケットＢＫにより架設され、前後方向に移動自在な作動シャフト１と、作動シャフト１の前端部分に連結されて、該作動シャフト１を前後移動させる手動レバー２と、前後方向に伸びる前記作動シャフト１の途中に設けられたクランク機構３１およびリンク機構３２を介して前記作動シャフト１後方における荷台Ｃの後端壁ＢＷに形成された透孔３から突出自在なキャッチ４と、後アオリＢＧの下縁に架設され、前記手動レバー２の操作に伴って前記キャッチ４が掛止自在なロック軸５とを備えたキャッチロック開閉装置に、後述する機構を追加したものである。
【００１７】
なお、前記クランク機構３１およびリンク機構３２は、ダンプトラックに一般的に組み込まれた周知のものであり、車両メーカーによって種々の方式があり、本願発明では特に限定されず、また既に周知の機構であるため、本発明では説明を省略するが、これら機構３１・３２を介して図３および図４に示すように、最終的にキャッチ４が作動する。
【００１８】
また、前述した作動シャフト２の前側方向への移動に伴うキャッチ４のロック状態の維持と前述した作動シャフト２の後側方向への移動に伴うキャッチ４のロック解除状態の維持は、前記クランク機構３１や作動シャフト２の後部に設けられた前記リンク機構３２によって、安定的に行われる。
【００１９】
すなわち、図５〜図７に示すように、前記フレームＦ上の作動シャフト１の前方にシリンダー６を設け、該シリンダー６のピストンロッド７先端を前記手動レバー２の基端寄り部分に連結することによって、前記手動レバー２自体の人力による操作だけでなく、前記シリンダー６の作動によっても前記キャッチ４がロック軸５に掛止自在となされている。
【００２０】
より詳細には、前記手動レバー２は、その基端部２ａがフレームＦの外側面に一体に突設された断面コ字形部材Ｆ１に回動自在に軸支１０Ａされたものであり、また該手動レバー２の基端寄り部分における後側に突設されたプレート部２ｂに前記作動シャフト１先端に一体に設けられた把持部１ａが嵌め被せられ、リベットＲ１によって軸支１０Ｂされることで、前述した通り、作動シャフト１が手動レバー２で前後移動する構造となっている。
【００２１】
また、手動レバー２における前記軸支１０Ｂ箇所より先端寄りの前側部分にはベースプレート２ｃが一体に設けられ、該ベースプレート２ｃに前記シリンダー６のピストンロッド７先端の把持部７ａが嵌め被せられてリベットＲ２によって、連結されている。そのため、前述した通り、シリンダー６の作動によっても前記手動レバー２が操作できる構造となされている。
【００２２】
また、本実施形態では、シリンダー６の本体部６Ａの基部に一体に設けられたステー６ＢとフレームＦの外側面に突設されたブラケット２０とが回動自在に軸支１０Ｃされて、シリンダー６の本体部６Ａが前記フレームＦに支持されている。
【００２３】
図７に示すように、前記シリンダー６の本体部６Ａの一側に、該シリンダー６内のピストン（図示せず）を作動させる制御機構部２１が付設されており、該制御機構部２１は、前後一対のエアー供給パイプ２２Ａ・２２Ｂと、これらパイプ２２Ａ・２２Ｂへのエアー供給を選択的に行うための弁部２３とを有しており、パイプ２２Ａにエアーが供給されることでピストンロッド７が本体部６Ａ内を後退する一方、パイプ２２Ｂ内にエアーが供給されることで、ピストンロッド７が前進・伸長するようになされている。また、図中２４Ａ・２４Ｂは前記弁部２３に係るスイッチを示す。
【００２４】
そして、図３および図９に示すように、シリンダー６のピストンロッド７が伸長していない状態では、手動レバー２は前方へ引き戻された位置にあり、前記作動シャフト１を介して最終的に前記キャッチ４がロック軸５に掛止された状態（ロック閉状態）となる。
【００２５】
一方、図４、図６および図７に示すように、シリンダー６のピストンロッド７が伸長した状態では前記作動シャフト１を介して最終的に前記キャッチ４のロック軸５への掛止が解除された状態（ロック開状態）となる。
【００２６】
図５〜図９に示すように、フレームＦの外側面に固着された断面Ｌ字形部材２５には、リミットスイッチ２６が取り付けられ、より詳細には、該リミットスイッチ２６は、検知用のフレキシブル・ロッド２６ａを有する市販のコイル・スプリング型のものであって、前記フレキシブル・ロッド２６ａが手動レバー２の基端部２ａの後側に突出するように設置されている。
【００２７】
そして、図５および図８に示すように、シリンダー６のピストンロッド７が縮んだ状態、すなわち、手動レバー２が前方に引き戻されている状態では、前記リミットスイッチ２６のフレキブル・ロッド２６ａは手動レバー２に当接しておらず、直立状態となる。
【００２８】
一方、図６、図７および図９に示すように、シリンダー６のピストンロッド７が伸長して手動レバー２が後方に回動した際には、該手動レバー２が前記フレキブル・ロッド２６ａに当接して、該フレキブル・ロッド２６ａが傾くようになされている。そのため、後述する要領で前記フレキブル・ロッド２６ａの角度によって、後アオリＢＧのキャッチ４によるロック状態が検知される。
【００２９】
図１０に示すように、本実施形態に係るキャッチロック自動開閉装置における制御系について説明すると、トグルスイッチ２７およびパイロットランプ２８は、ダンプトラックＤの運転席ＨＳにおけるダッシュボード等（図示せず）に取り付けられ、トグルスイッチ２７を入れた場合には、前記シリンダー６のピストンロッド７が伸長して手動レバー２が自動的に後方へ回動操作され、前述したように、作動シャフト１を介してキャッチ４のロック軸５に対する掛止が解除されて、キャッチロック開の状態となる。
【００３０】
なお、前記シリンダー６へのエアーの供給は、ダンプトラックに搭載されている既存のエアータンクＡＴから行われる。
【００３１】
また、図９に示すように、前記手動レバー２の後方への回動操作に伴って、前述した通り、該手動レバー２が前記リミットスイッチ２６のフレキブル・ロッド２６ａを傾斜させることで、前記パイロットランプ２８が点灯し、これによってダンプトラックＤのドライバーが運転席ＨＳでキャッチロックの解除を確認することができる。
【００３２】
一方、前記トグルスイッチ２７を切った場合には、前記シリンダー６のピストンロッド７が縮んで手動レバー２が自動的に前方へ回動操作され、前述したように、作動シャフト１を介してキャッチ４がロック軸５に掛止して、キャッチロック閉の状態となる。
【００３３】
この場合、図８に示すように、前記手動レバー２の前方への回動操作に伴って、前述した通り、該手動レバー２が前記リミットスイッチ２６のフレキブル・ロッド２６ａから離れて該バー２６ａが直立状態となり、これに伴って前記パイロットランプ２８が消灯し、これによってダンプトラックＤのドライバーが運転席ＨＳでキャッチロックの閉状態を確認することができる。
【産業上の利用可能性】
【００３４】
本発明によれば、ダンプトラック等の後アオリにおける既存の手動によるキャッチロックの開閉機構に追加する形態で、自動的にキャッチロックの開閉が行える機構を導入することができるため、新車のダンプトラック等だけでなく、既に使用されているダンプトラック等にも容易に導入することができるため、幅広い利用が期待できる。
【符号の説明】
【００３５】
１  作動シャフト
２  手動レバー
３  透孔
４  キャッチ
５  ロック軸
６  シリンダー
７  ピストンロッド
ＢＧ  後アオリ
ＢＷ  後端壁
Ｃ  荷台
Ｄ  ダンプトラック
Ｆ  フレーム
【図１】
2019043392.tif 000003
【図２】
2019043392.tif 000004
【図３】
2019043392.tif 000005
【図４】
2019043392.tif 000006
【図５】
2019043392.tif 000007
【図６】
2019043392.tif 000008
【図７】
2019043392.tif 000009
【図８】
2019043392.tif 000010
【図９】
2019043392.tif 000011
【図１０】
2019043392.tif 000012
【手続補正書】
【提出日】平成30年12月28日(2018.12.28)
【手続補正１】
【補正対象書類名】特許請求の範囲
【補正対象項目名】全文
【補正方法】変更
【補正の内容】
【特許請求の範囲】
【請求項１】
荷台下側のフレームに沿って架設され、前後方向に移動自在な作動シャフトと、作動シャフトの前端部分に軸支されて、該作動シャフトを前後移動させる手動レバーと、リンク機構を介して前記作動シャフトの後端部分に取り付けられ、荷台の後端壁に形成された透孔から突出自在なキャッチと、後アオリの下縁に架設され、前記レバーの操作に伴って前記キャッチが掛止自在なロック軸とを備えたダンプトラック等における後アオリのキャッチロック開閉装置において、前記フレーム上の作動シャフトの前方にシリンダーを設け、該シリンダーのピストンロッド先端を前記手動レバーに直接的に連結することによって、前記手動レバー自体の人力による操作だけでなく、前記シリンダーの作動によっても前記キャッチがロック軸に掛止自在となされている、ダンプトラック等における後アオリのキャッチロック自動開閉装置。
【請求項２】
手動レバーの回動範囲内に設けられたリミットスイッチと、リミットスイッチのＯＮ／ＯＦＦによって、点灯／消灯するロック開閉表示ランプを備えた、請求項１記載のダンプトラック等における後アオリのキャッチロック自動開閉装置。
【手続補正２】
【補正対象書類名】明細書
【補正対象項目名】０００８
【補正方法】変更
【補正の内容】
【０００８】
請求項１記載の本発明は、荷台下側のフレームに沿って架設され、前後方向に移動自在な作動シャフトと、作動シャフトの前端部分に軸支されて、該作動シャフトを前後移動させる手動レバーと、リンク機構を介して前記作動シャフトの後端部分に取り付けられ、荷台の後端壁に形成された透孔から突出自在なキャッチと、後アオリの下縁に架設され、前記レバーの操作に伴って前記キャッチが掛止自在なロック軸とを備えたダンプトラック等における後アオリのキャッチロック開閉装置において、前記フレーム上の作動シャフトの前方にシリンダーを設け、該シリンダーのピストンロッド先端を前記手動レバーに直接的に連結することによって、前記手動レバー自体の人力による操作だけでなく、前記シリンダーの作動によっても前記キャッチがロック軸に掛止自在となされている、ダンプトラック等における後アオリのキャッチロック自動開閉装置である。